(57)【特許請求の範囲】
【請求項１】
前身頃部と、後身頃部と、肩部と、脇当て部とを縫着して形成されるショートスリーブにおいて、脇当て部が、脇下ラインより上の部分と脇下ラインより下の部分とから構成されており、前記脇下ラインより上の部分の上縁ラインと、肩部の袖側の周縁部とによって、アームホールが構成され、前記アームホールをこれに挿通される上腕の太さと略一致する大きさに設定すると共に、前記上縁ラインと肩部の周縁部との交点を、腕を上げたときに前記脇下ラインより上の部分が引き上げられる位置に設定し、腕を上げたときには肩部の生地の移動に伴って前記交点を介して脇下ラインより上の部分も引き上げられて脇下を覆うようにフィットし、腕を下げたときには脇下に脇当て部の脇下ラインより上の部分が折り曲げられる態様で挟み込まれるようになっている
ことを特徴とするショートスリーブ。
【請求項２】
脇当て部の脇下ラインより下の部分は、前身頃部と後身頃部に縫着され、前記上縁ラインは後身頃部から前身頃部に向って上方に傾斜させてあることを特徴とする請求項１記載のショートスリーブシャツ。
【請求項３】
伸縮性のある生地で構成されていることを特徴とする請求項１又は２記載のショートスリーブシャツ。
【発明の詳細な説明】
【０００１】
【発明の属する技術分野】
この発明は、ショートスリーブシャツに関するものである。
【０００２】
【従来の技術】
夏の暑い季節になると、ノースリーブシャツやフレンチスリーブシャツ等、ショートスリーブシャツを着用している人を多く見かけるようになる。
【０００３】
しかしながら、従来のショートスリーブシャツでは、腕を上げたときに脇下が見えることから恥ずかしい感があり（問題１）、また、腕を下げているときには脇下が汗によってベタつくと共に発汗臭の原因になっていた（問題２）。
【０００４】
このような問題１、２は、一般に着用される衣服だけでなく、スポーツ用のショートスリーブシャツ、特に腕の上下運動が多いバレーボール選手用のスポーツシャツにおいても同様に有している。
【０００５】
したがって、一般、スポーツ業界にかかわらず、腕を上げたときに脇下が見えず且つ腕を下げているときには脇下の汗を吸収するショートスリーブシャツが開発されることを待ち望んでいる。
【０００６】
なお、上記問題２を解決するショートスリーブシャツとしては、実用新案登録番号第３０２６４１６号に開示されているが、問題１については何ら解決されていない。
【０００７】
【発明が解決しようとする課題】
そこで、この発明では、腕を上げたときに脇下が見えず且つ腕を下げているときには脇下の汗を吸収するショートスリーブシャツを提供することを課題とする。
【０００８】
【課題を解決するための手段】
〔請求項１記載の発明〕
この発明のショートスリーブシャツは、前身頃部と、後身頃部と、肩部と、脇当て部とを縫着して形成されるショートスリーブにおいて、脇当て部が、脇下ラインより上の部分と脇下ラインより下の部分とから構成されており、前記脇下ラインより上の部分の上縁ラインと、肩部の袖側の周縁部とによって、アームホールが構成され、前記アームホールをこれに挿通される上腕の太さと略一致する大きさに設定すると共に、前記上縁ラインと肩部の周縁部との交点を、腕を上げたときに前記脇下ラインより上の部分が引き上げられる位置に設定し、腕を上げたときには肩部の生地の移動に伴って前記交点を介して脇下ラインより上の部分も引き上げられて脇下を覆うようにフィットし、腕を下げたときには脇下に脇当て部の脇下ラインより上の部分が折り曲げられる態様で挟み込まれるようになっている。
【０００９】
〔請求項２記載の発明〕
この発明のショートスリーブシャツは、上記請求項１記載の発明に関し、脇当て部の脇下ラインより下の部分は、前身頃部と後身頃部に縫着され、前記上縁ラインは後身頃部から前身頃部に向って上方に傾斜させてある。
【００１０】
〔請求項３記載の発明〕
この発明のショートスリーブシャツは、上記請求項１又は２記載の発明に関し、伸縮性のある生地で構成されている。
【００１１】
【発明の実施の形態】
以下、この発明を実施例として示した図面に従って説明する。
（実施形態１）
図１はこの発明の実施形態のスポーツ用ショートスリーブシャツの正面図を示しており、図２は前記スポーツ用ショートスリーブシャツの側面図を示しており、図３は前記スポーツ用ショートスリーブシャツの背面図を示している。
【００１２】
〔このシャツの基本的構成について〕
このショートスリーブシャツは、図１〜図３に示すように、前見頃部１と、後見頃部２と、肩部３，３と、襟部４と、脇当て部５，５を縫着するようにして形成されている。
【００１３】
〔このシャツを構成する生地について〕
上記した各部のシャツ構成生地は競技中の競技者の運動を阻害しないように適度な伸縮性を有するニット等の生地から
なる本体部と、汗を吸った本体部が直接肌に接することを防ぐメッシュ生地からなるメッシュ部の二重構造としてある。
【００１４】
本体部は、綿、綿／ポリエステル混紡、綿／ナイロン混紡、ポリエステル、ポリウレタン等の素材が用いられ、天竺編み、鹿子編み、丸編み等伸縮性を有する編地が好適である。なお、本体部の裏面に吸水性繊維を配し、表面に速乾性繊維を配してハイブリッド化した生地を用いることも可能であるし、また、重量を軽減するために中空糸を用いた生地を用いることも可能である。
【００１５】
メッシュ部は、ポリエステルやナイロンといった吸水性の低い素材であって、軽量の素材が好適であり、肌との接触面積が小さくなるよう、開口率の比較的大きいメッシュ生地を用いてある。なお、メッシュ生地に凹凸をもたせるようにすれば、ベタツキ感をさらに軽減することもできる。
【００１６】
このショートスリーブシャツは上記した生地を採用することにより、メッシュ部を透過している汗を本体部が強制的に吸収するため、メッシュ部に残留する汗が少なくなって、べとつき感が低減することになる。
〔このシャツのアームホール近傍の構成について〕
このショートスリーブシャツでは、図４、図５に示すようにアームホールＡＨをこれに挿通される上腕Ｗの太さと略一致する大きさ、つまり上腕ＷとアームホールＡＨとの間に隙間ができない程度の大きさに設定してあり、前記アームホールＡＨの下域を脇当て部５の上縁50により構成させると共に、前記脇当て部５の上縁50のラインを脇下ラインＬよりも２０mm〜４０mm程度高い位置となるように設定してある。
【００１７】
ここで、この実施形態では脇当て部５は、図２に示すように、逆三角状のマチにより構成されており、両斜辺のうちの一方を前身頃部１に、他方を後身頃部２に、それぞれ縫合してある。
【００１８】
このショートスリーブシャツのアームホール近傍は上記のような構成としてあるから、上記した課題を解決するための手段の欄に記載した▲１▼〜▲５▼に示すような作用・効果を奏している。
▲１▼．腕を上げたときには、図４に示すように、脇当て部５の上縁50のラインと脇下ラインＬとの間の生地部分により脇下及びその近傍は覆い隠され、また、上腕Ｗと脇当て部５との間にすきまができないから、脇下が身えるようなことはない。
▲２▼．腕を下げたときには、図６に示すように、脇当て部５の上縁50ラインと脇下ラインＬとの間の生地部分が折り曲げられ（折り曲げられた生地部分を符号51で示す）当該部分51が脇下に挟み込まれる。したがって、脇下の汗は素早くシャツに吸収され、発汗臭の原因を低減させることができる。
▲３▼．図２に示すように、脇下には前身頃部１と後身頃部２との縫合線は存在しないので、腕を下ろしたときに所謂「ごわつき」がない。
▲４▼．図２に示すように、後身頃部２から前身頃部１に向かって上方に傾斜させてあるから、脇下は図４に示すように十分に覆い隠される。
▲５▼．伸縮性のある生地で構成されているから、腕を上下動する際に腕の動きを大きく阻害するようなことがない。
（他の実施形態）
上記実施形態１で使用されている生地は、本体部とメッシュ部との二重構造としてあるが、これに限定されることなく、用途に応じて所謂一枚ものの生地でショートスリーブシャツを構成させることができる。
【００１９】
また、上記実施形態１で使用されている生地は、優れた伸縮性を有するものとするため編み物としているが、これに限定されるものではない。要するに、腕を下げているときには上縁50のラインと脇下ラインＬとの間の生地部分が脇下で折れ曲がり、腕を上げたときには前記生地部分が脇下及びその近傍にフィットするような復帰能があるものであればよい。
【００２０】
さらに、上記実施形態１では脇当て部５を構成するマチを逆三角形状としているが、これに限られず、楕円その他の形状でもよい。また、上記実施形態１では脇当て部５をマチで構成しているが、腕を下ろしたときに「ごわつき」感があってもよい場合には、マチを設けることなく前・後身頃部１，２の側縁部分で脇当て部５を形成してもよい。
【００２１】
そして、上記実施形態１はスポーツ用のショートスリーブシャツにこの発明の手段を施したものであるが、これに限定されることなく、スポーツ用以外の一般のショートスリーブシャツにおいてもこの発明の手段を施すことができる。
【００２２】
【発明の効果】
この発明は上記のような構成であるから次の効果を有する。
【００２３】
課題を解決するための手段の説明から明らかなように、腕を上げたときに脇下が見えず且つ腕を下げているときには脇下の汗を吸収するショートスリーブシャツを提供できた。
【図面の簡単な説明】
【図１】この発明の実施形態のスポーツ用ショートスリーブシャツの正面図。
【図２】前記スポーツ用ショートスリーブシャツの側面図。
【図３】前記スポーツ用ショートスリーブシャツの背面図。
【図４】前記スポーツ用ショートスリーブシャツを着て、腕を上げた状態を示す正面図。
【図５】前記スポーツ用ショートスリーブシャツを着て、腕を上げた状態を示す側面図。
【図６】前記スポーツ用ショートスリーブシャツを着て、腕を下げた状態を示す正面図。
【符号の説明】
ＡＨ      アームホール
Ｗ        上腕
Ｌ        脇下ライン
１        前身頃部
２        後身頃部
３        肩部
４        襟部
５        脇当て部
50        上縁
【図１】
0004000437.tif 000002
【図２】
0004000437.tif 000003
【図３】
0004000437.tif 000004
【図４】
0004000437.tif 000005
【図５】
0004000437.tif 000006
【図６】
0004000437.tif 000007